(57)【要約】【課題】書類を身につけた状態で作業することが可能な収納具を提供すること。【解決手段】収納物を収納する鞄であって、収納物を取り出す開口部３と、衣服１００の前側に設けられている衣服側連結部１１０と連結する鞄側連結部２とを備え、衣服側連結部１１０及び鞄側連結部２によって、衣服１００の前側に着脱自在に取り付けられ、把持するための把手４を更に備え、少なくとも衣服１００の前側に取り付けられた状態で、作業時に把手４が作業の障害とならないように、把手４を内側に収納する、収納具である。【選択図】図１
2012090801.tif 000002
【特許請求の範囲】
【請求項１】
収納物を収納する収納具であって、
前記収納物を出し入れする開口部と、
衣服の前側に設けられている衣服側連結部と連結する収納具側連結部とを備え、
前記衣服側連結部及び前記収納具側連結部によって、前記衣服の前側に着脱自在に取り付けられる、収納具。
【請求項２】
把持するための把手を備え、
少なくとも前記衣服の前側に取り付けられた状態で、作業時に前記把手が作業の障害とならないように、前記把手を内側に収納又は外側に固定する、請求項１記載の収納具。
【請求項３】
把持するための把手を備え、
少なくとも前記衣服の前側に取り付けられた状態で、前記把手は、前記開口部から内側に収納可能である、請求項２記載の収納具。
【請求項４】
把持するための把手と、
少なくとも前記衣服の前側に取り付けられた状態で、前記把手を、外面に固定する固定部とを備えた、請求項２記載の収納具。
【請求項５】
把持するための把手を備え、
前記把手の少なくとも一端は着脱自在であり、
少なくとも前記衣服の前側に取り付けられた状態で、前記把手は、前記衣服に巻き付けられ、更に、前記一端が連結可能になっている、請求項１記載の収納具。
【請求項６】
前記衣服側連結部及び前記収納部側連結部は、連結状態において、いずれか一方に形成された係止部と、他方に形成された被係止部との係止によって、前記衣服から前記収納部が離れる方向には外れず前記連結は保持され、
前記衣服側連結部及び前記収納部側連結部の一部を押す又は引くことにより、前記前記係止部と前記被係止部との係止が外され、前記連結が解除される、請求項１記載の収納具。
【請求項７】
請求項１記載の収納具が着脱自在に取り付けられる衣服であって、
前側に設けられた、前記収納具側連結部と連結する衣服側連結部を備えた、衣服。
【発明の詳細な説明】
【技術分野】
【０００１】
本発明は、収納具及び衣服に関するものである。
【背景技術】
【０００２】
建設現場等の工事現場で作業をする際、その工事の設計に関する書類等の重要書類の取り扱いには注意が払われていた。この重要書類には、顧客の個人情報等も含まれている場合があるため、紛失等に対して非常に気を使う必要がある。
【０００３】
その一方、作業を行う際には、書類を身につけておくことが困難なため、この書類は、鞄等に収納され、作業場とは異なる作業小屋等の別の場所に置かれていた。
【先行技術文献】
【特許文献】
【０００４】
【発明の概要】
【発明が解決しようとする課題】
【０００５】
しかしながら、書類を別の場所に置いているため、置き忘れなどが発生することも考えられ、又、置き引き等によって盗まれることも考えられる。
【０００６】
更に、設計書類などを確認する場合に、書類を置いている場所にまで行く必要があり、作業効率が悪くなっていた。
【０００７】
本発明は、従来の課題を考慮し、身につけた状態で作業することが可能な収納具及び衣服を提供することを目的とする。
【課題を解決するための手段】
【０００８】
上記目的を達成するため、第１の本発明は、
収納物を収納する収納具であって、
前記収納物を出し入れする開口部と、
衣服の前側に設けられている衣服側連結部と連結する収納具側連結部とを備え、
前記衣服側連結部及び前記収納具側連結部によって、前記衣服の前側に着脱自在に取り付けられる、収納具である。
【０００９】
第２の本発明は、
把持するための把手を備え、
少なくとも前記衣服の前側に取り付けられた状態で、作業時に前記把手が作業の障害とならないように、前記把手を内側に収納又は外側に固定する、第１の本発明の収納具である。
【００１０】
第３の本発明は、
把持するための把手を備え、
少なくとも前記衣服の前側に取り付けられた状態で、前記把手は、前記開口部から内側に収納可能である、第２の本発明の収納具である。
【００１１】
第４の本発明は、
把持するための把手と、
少なくとも前記衣服の前側に取り付けられた状態で、前記把手を、外面に固定する固定部とを備えた、第２の本発明の収納具である。
【００１２】
第５の本発明は、
把持するための把手を備え、
前記把手の少なくとも一端は着脱自在であり、
少なくとも前記衣服の前側に取り付けられた状態で、前記把手は、前記衣服に巻き付けられ、更に、前記一端が連結可能になっている、第１の本発明の収納具である。
【００１３】
第６の本発明は、
前記衣服側連結部及び前記収納部側連結部は、連結状態において、いずれか一方に形成された係止部と、他方に形成された被係止部との係止によって、前記衣服から前記収納部が離れる方向には外れず前記連結は保持され、
前記衣服側連結部及び前記収納部側連結部の一部を押す又は引くことにより、前記前記係止部と前記被係止部との係止が外され、前記連結が解除される、第１の本発明の収納具である。
【００１４】
第７の本発明は、
第１の本発明の収納具が着脱自在に取り付けられる衣服であって、
前側に設けられた、前記収納具側連結部と連結する衣服側連結部を備えた、衣服である。
【発明の効果】
【００１５】
以上のような本発明によれば、身につけた状態で作業することが可能な収納具及び衣服を提供することが出来る。
【図面の簡単な説明】
【００１６】
【図１】本発明にかかる実施の形態１における鞄を衣服に取り付けた状態を示す正面構成図
【図２】本発明にかかる実施の形態１における鞄の斜視構成図
【図３】本発明にかかる実施の形態１における鞄側連結部及び衣服側連結部の構成図
【図４】（ａ）〜（ｄ）本発明にかかる実施の形態１における鞄側連結部及び衣服側連結部の連結を説明するための構成図
【図５】本発明にかかる実施の形態１における鞄を衣服に取り付ける際の状態について説明するための構成図
【図６】（ａ）、（ｂ）本発明にかかる実施の形態１の変形例における鞄の斜視構成図
【図７】本発明にかかる実施の形態１の変形例における鞄の斜視構成図
【図８】（ａ）〜（ｃ）本発明にかかる実施の形態２における鞄の把手を固定する構成を説明するための斜視構成図
【図９】本発明にかかる実施の形態２の変形例における鞄の把手を固定する構成を説明するための斜視構成図
【図１０】本発明にかかる実施の形態３における鞄の斜視構成図
【図１１】（ａ）〜（ｃ）本発明にかかる実施の形態３における鞄の本体と肩掛けベルトの連結を説明するための側面構成図
【図１２】本発明にかかる実施の形態３における鞄を衣服に取り付けた状態を示す正面構成図
【図１３】（ａ）本発明にかかる実施の形態４における鞄を表側から視た斜視構成図、（ｂ）本発明にかかる実施の形態４における鞄を裏側から視た斜視構成図、
【図１４】（ａ）本発明にかかる実施の形態４における鞄の上部平面図、（ｂ）本発明にかかる実施の形態４における鞄の線ファスナーを開いた状態を示す上部平面
【図１５】本発明にかかる実施の形態４における鞄を衣服に取り付ける際の状態について説明するための構成図
【図１６】本発明にかかる実施の形態４における鞄を衣服に取り付けた状態を示す正面構成図
【図１７】（ａ）本発明にかかる実施の形態４の変形例における鞄の斜視構成図、（ｂ）本発明にかかる実施の形態４の変形例における鞄の把手を内側に収納した状態を示す斜視構成図
【発明を実施するための形態】
【００１７】
以下、本発明の実施の形態について図面を参照しながら説明を行う。
【００１８】
（実施の形態１）
以下に、本発明の実施の形態１の鞄について説明する。
【００１９】
図１は、本発明にかかる実施の形態１における鞄が取り付けられている衣服の正面構成図である。図１に示すように、本実施の形態１では、ベスト状の衣服１００に、本実施の形態１の鞄１が取り付けられている。衣服１００の前面１００ａの両端の上下には、それぞれ衣服側連結部１１０が設けられている。鞄１は、Ａ４サイズの書類が入る程度の大きさであって、ナイロン製である。また、衣服１００としては、冬場には綿１００％の素材を用い、夏場には綿とポリエステルの素材を用いたものである方がより好ましい。
【００２０】
上記鞄１の両端の上下のそれぞれには、衣服１００の４つの衣服側連結部１１０と連結する鞄側連結部２が設けられている。この鞄側連結部２と衣服側連結部１１０の連結については、詳しくは後述する。
【００２１】
図２は、本実施の形態１の鞄１の斜視構成図である。図２に示すように、本実施の形態１の鞄１は、本体１０と、本体１０の上部に取り付けられた把手４とを有している。そして、本体１０は、表側外面１１ａ及び裏側外面１１ｂを有しており、表側外面１１ａに、上記４つの鞄側連結部２が設けられている。そして、図２において本体１０の上側に収納物を出し入れする開口部３が設けられている。更に、開口部３の周縁の表側内面１２ａには、把手４が接続されており、開口部３の周縁の裏側内面１２ｂにも把手４が接続されている。
【００２２】
そして、表側内面１２ａと裏側内面１２ｂの上部に、開口部３を閉じるためのボタン５が複数個設けられている。このボタン５は、例えば、スナップボタンであり、表側内面１２ａの上部にボタン５の凹部５ａが複数個設けられており、これら凹部５ａに対向するように裏側内面１２ｂの上部にボタン５の凸部５ｂが設けられている。尚、これらのボタン５の凹部５ａは、把手４の表側内面１２ａとの接続端４ａの間にも形成されており、凸部５ｂは、把手４の裏側内面１２ｂとの接続端４ａの間にも形成されている。尚、ボタンに限らず、磁石などを用いて、開口部３を閉じても良い。
【００２３】
図３は、本実施の形態１の鞄側連結部２と衣服側連結部１１０の構成図である。図３に示すように、鞄側連結部２と衣服側連結部１１０は、例えば、プラスチック製の差込によって構成されている。靴側連結部２は、接続部６によって鞄１に接続されており、衣服側連結部１１０は、接続部１１４によって衣服１００に接続されている。尚、鞄１の衣服１００への取り付け易さの点からは、これら接続部６、１１４のどちらか一方はゴム素材によって形成されており、伸縮可能である方が好ましい。
【００２４】
衣服側連結部１１０は、３つの突き出した突起部１１１、１１２、１１３を有している。両端の突起部１１１と突起部１１３は、中央の突起部１１２を中心に対称に形成されており、突起部１１１、１１３は、それぞれ棒状の弾性部１１１ａ、１１３ａと、その弾性部１１１ａ、１１３ａの先端に設けられた片羽矢印形状の先端部１１１ｂ、１１３ｂとを有している。これら先端部１１１ｂ、１１３ｂには、外側向かって突き出た凸部１１１ｃ、１１３ｃが形成されている。尚、中央の突起部１１２は先端が両羽矢印形状に形成されている。
【００２５】
一方、鞄側連結部２は突起部１１１、１１２、１１３が挿入される挿入口２ａを先端に有する箱形状であり、図中上下端の中央部に切り欠き部２ｂが形成されている。
【００２６】
図４（ａ）〜（ｄ）は、衣服側連結部１１０と鞄側連結部２との連結を示す図である。図４（ａ）に示すように、衣服側連結部１１０の突起部１１１、１１２、１１３が鞄側連結部２に差し込まれると、突起部１１１と突起部１１３の先端部１１１ｂ、１１３ｂが挿入口２ａの縁に当接する。更に、衣服側連結部１１０を差し込むと、突起部１１１、１１３は弾性部１１１ａ、１１３ａの弾性力により、中央よりに湾曲することになる（図４（ａ）、（ｂ）矢印Ａ参照）。そして、更に衣服側連結部１１０を鞄側連結部２に差し込むと、突起部１１１の凸部１１１ｃと、突起部１１３の凸部１１３ｃが切り欠き部２ｂに嵌り込む。
【００２７】
図４（ｃ）のように、凸部１１１ｃと凸部１１３ｃが、それぞれ切り欠き部２ｂに嵌っている状態では、衣服側連結部１１０と鞄側連結部２を引き離そうとした場合であっても、凸部１１１ｃ、１１３ｃが、その後端部１１１ｅ、１１３ｅで切り欠き部２ｂの前側部分２ｃに係止され、連結が保持される。
【００２８】
尚、連結を解除する際には、図４（ｄ）に示すように、凸部１１１ｃ、１１３ｃを中央側（矢印Ｃ参照）に押し、上記係止を外した状態で、衣服側連結部１１０を引き抜く（矢印Ｄ参照）ことによって、連結が解除される。
【００２９】
尚、本発明の収納具側連結部の一例は、本実施の形態の鞄側連結部２に相当する。又、本発明の係止部の一例は、本実施の形態の凸部１１１ｃ、１１３ｃに相当し、本発明の被係止部の一例は、本実施の形態の切り欠き部２ｂの前側部分２ｃに相当する。
【００３０】
次に、本実施の形態１の鞄１の衣服１００への取り付けについて説明する。
【００３１】
図５に示すように、書類７を鞄１に収納し、把手４の上方を内側に折り返し、把手４が本体１０内に収納される。その後、ボタン５によって開口部３が閉じられる。
【００３２】
このように把手４を本体１０の内側に収納した状態で、４つの衣服側連結部１１０のそれぞれに鞄側連結部２を連結することによって、図１に示すように、鞄１が衣服１００に取り付けられる。
【００３３】
以上のように、衣服１００に鞄１を取り付けることによって、作業者は、その両手が開いているため、書類が収納された鞄１を身に付けた状態で作業を行うことが出来る。
【００３４】
そのため、鞄を置き忘れることもなく、盗難も防止することが出来る。
【００３５】
また、書類を身につけた状態であるため、作業時に設計に関する書類の確認をすぐに行うことが出来る。
【００３６】
又、把手４を鞄１の内側に収納出来るため、作業時においても把手が揺れないため、作業の支障にならない。
【００３７】
更に、ボタン５によって開口部３が閉じられているため、作業時に書類７が落下することを防ぐことが出来る。
【００３８】
又、図３及び図４に示したような差込を用いて、衣服１００と鞄１を連結することによって、たとえ盗難目的に鞄をひっぱられたとしても、衣服側連結部１１０と鞄側連結部２は係止されているため、外れにくく、盗難を防止することが出来る。
【００３９】
更に、建設現場における作業などに限らず、自転車、二輪自動車などの運転の際にも財布や携帯電話などの貴重品を収納できるため、紛失、盗難、破損を防止出来る。
【００４０】
又、本実施の形態１では、鞄１がナイロン製であるため防水効果も発揮することが出来る。
【００４１】
又、保冷剤などを収納することによって、猛暑時における熱中症対策を行うことも出来る。鞄１を首に近い位置に配置することによって、より効果を発揮出来る。
【００４２】
又、本実施の形態１では、把手４の接続部４ａは、本体１０の内側に設けられているが、図６（ａ）に示す鞄４０のように外側に設けられていても良い。この場合、衣服１００に取り付ける際には、図６（ｂ）に示すように、把手４は外側から内側に向けて本体１０の内側に収納される。
【００４３】
又、図２及び図６では、把手４の接続部４ａは、本体１０の外面又は内面に設けられていたが、図７の鞄４１に示すように、上端部に設けられていても良い。
【００４４】
（実施の形態２）
次に、本発明にかかる実施の形態２の鞄について説明する。本実施の形態２の鞄は、実施の形態１と基本的な構成は同じであるが、作業時の把手を固定する方法が異なっている。そのため、本相違点を中心に説明する。尚、実施の形態１と同様の構成については同じ符号が付されている。
【００４５】
図８（ａ）〜（ｃ）は、本実施の形態２の鞄２０の斜視構成図である。図８（ａ）に示すように、本実施の形態２の鞄２０では、把手４の接続部４ａが、表側外面１１ａ及び裏側外面１１ｂに設けられている。又、本実施の形態２では、実施の形態１と異なり、ボタン５が設けられておらず、開口部３を閉じるために線ファスナー１４が設けられている。
【００４６】
そして、本実施の形態１の鞄２０は、表側外面１１ａ及び裏側外面１１ｂのそれぞれに、把手４を固定するための把手固定部８が設けられている。この把手固定部８は、一端８１ａが表側外面１１ａに固定された、短冊状の固定部材８１と、固定部材８１の他端８１ｂを表側外面１１ａと着脱自在に固定するためのボタン８２とを有している。図８（ｂ）は、把手固定部８の他端８１ｂ側を持ち上げた状態を示す鞄１の斜視構成図である。この固定部材８１の他端８１ｂ側に、ボタン８２のボタン凸部８２ａが設けられており、表側外面１１ａにボタン８２のボタン凹部８２ｂが設けられている。尚、表側外面１１ａと同様に、裏側外面１１ｂにも把手固定部８が設けられている。
【００４７】
把手４を固定する際には、図８（ｃ）に示すように、把手４を外側に倒した後、把手４を覆うように固定部材８１を配置し、ボタン凸部８２ａをボタン凹部８２ｂに嵌合させることによって、把手４が固定される。尚、裏側外面１１ｂ側も、表側外面１１ａ側と同様に把手４が把手固定部８によって固定される。
【００４８】
その後、４箇所の鞄側連結部２を衣服側連結部１１０に連結することによって、衣服１００に鞄１を取り付けることが出来る。
【００４９】
以上のように、把手４を固定することによって、作業時においても把手が揺れないため、作業の支障にならない。
【００５０】
尚、ボタン８２の代わりに磁石などが用いられても良い。
【００５１】
又、本実施の形態２のような構成に限らず、例えば、図９（ａ）に示すような鞄４２の構成で把手４が揺れないように固定してもよい。図９（ａ）に示す鞄では、表側外面１１ａ及び裏側外面１１ｂにポケット９が形成されており、図９（ｂ）に示すように、そのポケット９に把手４を挿入することによって把手４を固定出来、把手４が揺れて作業に支障をきたすことを防止することが出来る。更に、表側外面１１ａ及び裏側外面１１ｂにヒモが取り付けられており、把手４を縛ることによって固定しても良く、要するに、作業時の障害とならないように把手４を固定することが出来さえすればよい。
【００５２】
又、上記実施の形態１、２では、把手４が２つ設けられていたが、１つだけであってもよい。
【００５３】
又、本実施の形態２の鞄では、線ファスナー１４によって開口部３を閉じる構成としていたが、ボタンによって閉じてもよい。
【００５４】
尚、上述した実施の形態１のように、把手４を内側に収納する構成では、線ファスナー１４を用いた場合、完全に閉じることができないが、把手４を収納した状態で、線ファスナー１４を出来るだけ閉じることにより、把手４は本体１０で挟まれるため、把手４を固定することは可能である。
【００５５】
又、上記実施の形態１、２のいずれの鞄においても、把手が設けられていたが、設けられていなくてもよい。すなわち、鞄１、２０がポーチタイプの鞄であってもよい。しかしながら、持ち運び易さの点からは把手が設けられていた方がより好ましい。
【００５６】
（実施の形態３）
以下に、本発明にかかる実施の形態３における鞄について説明する。本実施の形態３の鞄は、実施の形態１と基本的な構成は同じであるが、把手４がなく、肩掛けベルトが設けられている点が異なっている。そのため、本相違点を中心に説明する。
【００５７】
図１０は、本発明にかかる実施の形態３における鞄３０の斜視構成図である。図１０に示すように、本実施の形態３の鞄３０は、把手４が設けられておらず、肩掛けベルト３１が設けられている。この肩掛けベルト３１の一端は、本体１０の表側外面１１ａに着脱可能に取り付けられており、他端は、本体１０の裏側外面１１ｂに着脱可能に取り付けられている。ここで、表側を例に挙げて説明すると、肩掛けベルト３１の一端には、フック部３１ａが設けられている。又、表側外面１１ａには、短冊状の接続部１３を介して輪状部材１５が取り付けられている。この輪状部材１５とフック部３１ａが連結することによって肩掛けベルト３１が本体１０に取り付けられる。
【００５８】
図１１（ａ）〜（ｃ）は、フック部３１ａと輪状部材１５の連結を説明するための図である。尚、輪状部材１５は側面図である。図１１（ａ）に示すように、フック部３１ａには、その開放部３１ｂを閉じるように板バネ部材３１ｃが設けられている。そして、図１１（ｂ）に示すように、フック部３１ａを輪状部材１５にかける際には、板バネ部材３１ｃを輪状部材１５で押圧移動させて、図１１（ｃ）に示すように、フック部３１ａの内側に輪状部材１５を配置することが出来る。このように、フック部３１ａの開放部３１ｂに板バネ部材３１ｃが設けられていることにより、輪状部材１５からフック部３１ａが抜けることを防止出来る。
【００５９】
なお、フック部３１ａを輪状部材１５から取り外す際には、板バネ部材３１ｃを指などで、押す又は引くことにより、内側に押圧移動させて隙間を形成し、その隙間から輪状部材１５をフック部３１ａの外側に移動することが出来る。
【００６０】
そして、鞄３０を衣服１００に取り付ける際には、表側及び裏側の少なくとも一方の肩掛けベルト３１の本体１０との連結を解除し、４つの衣服側連結部１１０と鞄側連結部２が連結される。ここで、肩掛けベルト３１は、図１２に示すように、衣服の背面側に巻き付けてから再び、本体１０と連結される。
【００６１】
以上のように、本実施の形態３では、肩掛けベルト３１を衣服の後側に巻き付けるため、作業中に揺れないので、作業の支障にならない。
【００６２】
尚、本実施の形態では、肩掛けベルト３１の両端ともにフック部が設けられ、両端が本体１０と着脱可能に構成されていたが、少なくとも一方が着脱可能に構成されておりさえすればよい。
【００６３】
又、本実施の形態の鞄においても、衣服に取り付ける際に、肩掛けベルト３１を本体１０に収納するようにしてもよい。
【００６４】
又、本実施の形態３においても、実施の形態１、２で説明したような把手４が設けられていてもよい。
【００６５】
又、本実施の形態３においても、ボタン５を用いず、実施の形態２のように線ファスナー１４を用いて、開口部３を閉じても良い。
【００６６】
又、上記実施の形態１〜３では、衣服側連結部１１０及び鞄側連結部２によって、衣服に鞄を連結しているが、このような構成に限らず、実施の形態３にしめすような輪状部材１５と、フック部３１ａ及び板バネ部材３１ｃとが、それぞれ衣服と鞄に設けられて、衣服と鞄を連結する構成としてもよい。この場合、本発明の係止部の一例は、フック部３１ａ及び板バネ部材３１ｃに相当し、本発明の被係止部の一例は、輪状部材１５に相当する。
【００６７】
（実施の形態４）
次に、本発明にかかる実施の形態４の鞄について説明する。
【００６８】
本実施の形態４の鞄は、実施の形態２の鞄と基本的な構成は同じであるが、把手４の固定方法と、鞄の内側に仕切りが設けられている点が異なっている。そのため、本相違点を中心に説明する。尚、実施の形態２と同様の構成については同一の符号が付されている。
【００６９】
図１３（ａ）は、本実施の形態４の鞄５０を表側からみた斜視構成図であり、図１３（ｂ）は、本実施の形態４の鞄５０を裏側からみた斜視構成図である。
【００７０】
図１３（ａ）、（ｂ）に示すように、本実施の形態４の鞄５０は、実施の形態２の鞄と比較して、横長型であり、Ａ４サイズの書類が収納可能である。又、実施の形態２と同様に、把手４の接続部４ａが、表側外面１１ａ及び裏側外面１１ｂに設けられている。又、実施の形態２では、挿入口２ａが左右方向を向くように鞄側連結部２は取り付けられていたが、本実施の形態４の鞄５０では、挿入口２ａが上下方向を向くように鞄側連結部２は取り付けられている。又、本実施の形態４の鞄５０には、２つの把手４を接続可能なボタン５１が設けられており、ボタン凸部５１ａとボタン凹部５１ｂが、それぞれの把手４の上部内側に設けられている。
【００７１】
また、本実施の形態４の鞄５０は、実施の形態２と異なり、把手固定部８が表側外面１１ａには設けられておらず、裏側外面１１ｂにしか設けられていない。
【００７２】
図１４（ａ）は、本実施の形態４の鞄５０の上部平面図である。図１４（ａ）に示すように、本実施の形態４の鞄５０の開口部３は、線ファスナー１４によって閉じられている。図１４（ｂ）はスライダー１４１を移動させて線ファスナー１４を開いた状態を示す上部平面図である。図１４（ｂ）に示すように、本実施の形態４の鞄５０の内側には、書類を収納出来る収納部分５２が複数設けられており、これら収納部分５２のそれぞれに線ファスナー５２１が設けられており、開閉可能になっている。
【００７３】
以下に、上記構成の鞄５０の衣服１００への取り付けについて説明する。
【００７４】
表側外面１１ａに接続されている把手４と、裏側外面１１ｂに接続されている把手４が、ボタン５１によって連結され、双方の把手４ともに裏側外面１１ｂ側に倒される。そして、図１５に示すように、裏側外面１１ｂに設けられている把手固定部８によって、双方の把手４が固定される。具体的には、把手固定部８の固定部材８１によって２つの把手４をまとめて覆っている。そして、固定部材８１の他端８１ｂ側と裏側外面１１ｂをボタン８２によって固定することによって、２つの把手４が把手固定部８によって固定される。
【００７５】
そして、図１６に示すように、鞄５０の表側外面１１ａに設けられている４つの鞄側連結部２と衣服１００側の衣服側連結部１１０を連結することによって、鞄５０が衣服１００に取り付けられる。尚、本実施の形態の鞄５０は、横長形状のため、把手４は左右のいずれかに配置されることになる。
【００７６】
以上のように、本実施の形態４では、実施の形態２と異なり前面側に把手４が固定されていないため、作業時に把手固定部８が引っかかる等ということがないため、より安全に作業を行うことが出来る。
【００７７】
又、本実施の形態のように、複数の収納部分５２が設けられていることにより、複数の顧客に対する資料を分けて管理することが出来るため、より好ましい。
【００７８】
尚、本実施の形態では、収納部分５２の線ファスナー５２１に加え、線ファスナー１４も設けられているが、線ファスナー１４は設けられていなくても良い。
【００７９】
又、２つの把手４を接続するボタン５１は設けられていなくても良い。
【００８０】
又、電気等の作業を行う場合には、ボタン５、５１、８２、線ファスナー１４、５２１等は、金属製よりも樹脂製である方がより好ましく、少なくとも、上記実施の形態の鞄及び衣服では、外側に配置される構成については、樹脂製のものを用いた方がより好ましい。
【００８１】
又、本実施の形態４の鞄５０のように把手４を把手固定具８によって固定する構成に限らず、図１７（ａ）、（ｂ）に示す鞄６０のように把手４を内側に収納してもよい。図１７（ａ）に示すように、表側外面１１ａと裏側外面１１ｂに把手接続部４ａの上部近傍に穴６１が形成されており、衣服１００の前側に取り付ける際には、図１７（ｂ）に示すように、表側及び裏側の穴６１を介して、それぞれの把手４が内側に収納される。このように構成することでも、把手４が作業の障害とならないため、より安全に作業を行うことが出来る。この穴６１は、通常はファスナーやボタンによって閉じられていてもよい。
【００８２】
尚、本実施の形態４の鞄５０のような横長の形状に限らず、実施の形態２で述べたような縦長の鞄に対しても、裏側外面１１ｂ側において２つの把手４を固定するようにしてもよい。
【００８３】
又、上記実施の形態では、いずれの鞄も、その表側外面１１ａに鞄側連結部２が設けられていたが、裏側外面１１ｂに鞄側連結部２が設けられていても良い。
【００８４】
更に、上記実施の形態では、鞄側連結部２と衣服側連結部１１０が４つずつ設けられていたが、上側２つだけ、若しくは対角線上の２つだけ設けられていても良いし、４つ以上設けられていても良い。
【００８５】
又、上記実施の形態３では、下側２つだけ鞄側連結部２と衣服側連結部１１０を設け、上側は、肩掛けベルト３１を締めることによって固定しても良い。
【００８６】
尚、上記ベスト状の衣服１００としては、作業着やスーツのベストなどが挙げられる。更に、本発明の衣服の一例としてベスト状の衣服１００に限らなくても良い。
【００８７】
又、上記説明では、鞄はナイロン製であったが、ナイロンに限らなくてもよい。
【００８８】
又、本発明の収納具の一例は、上記実施の形態１〜４の鞄１、２０、３０、４０、４１、４２、５０に相当するが、鞄でなく、袋等であってもよい。
【００８９】
又、上記実施の形態では、把手４は２つ設けられていたが、１つだけ設けられていても良い。
【産業上の利用可能性】
【００９０】
本発明の収納具は、書類を身につけた状態で作業することが可能な効果を有し、特に建設現場などで設計に関する図面等の重要書類を収納する収納具として有用である。
【符号の説明】
【００９１】
１、２０、３０、４０、４１、４２、５０、６０  鞄
２  鞄側連結部
３  開口部
４  把手
５  ボタン
６、１１４  接続部
７  書類
８  把手固定部
９  ポケット
１０  本体
１１ａ  表側外面
１１ｂ  裏側外面
１２ａ  表側内面
１２ｂ  裏側内面
１３  接続部
１４  線ファスナー
１００  衣服
１１０  接続部
１１１、１１２，１１３  突起部
１１１ａ、１１３ａ  弾性部
１１１ｂ、１１３ｂ  先端部
１１１ｃ、１１３ｃ  凸部
【図１】
2012090801.tif 000003
【図２】
2012090801.tif 000004
【図３】
2012090801.tif 000005
【図４】
2012090801.tif 000006
【図５】
2012090801.tif 000007
【図６】
2012090801.tif 000008
【図７】
2012090801.tif 000009
【図８】
2012090801.tif 000010
【図９】
2012090801.tif 000011
【図１０】
2012090801.tif 000012
【図１１】
2012090801.tif 000013
【図１２】
2012090801.tif 000014
【図１３】
2012090801.tif 000015
【図１４】
2012090801.tif 000016
【図１５】
2012090801.tif 000017
【図１６】
2012090801.tif 000018
【図１７】
2012090801.tif 000019